(57)【要約】  筐体の内部開口内に取り外し可能に位置付けることができるように構成されたフィルタカートリッジであって、フィルタカートリッジは、入口端部、出口端部、および外周形状を有する外表面を有する媒体パックと、（ａ）媒体パックの少なくとも一部を包囲する枠部材であって、枠部材は媒体パックの外周形状と異なる形状を有する枠壁を含む、枠部材、および（ｂ）媒体パックの少なくとも一部を包囲する殻であって、媒体パックの外周形状と異なる形状を有する殻壁を含む、殻の少なくとも１つと、媒体パックの入口端部の少なくとも一部を中心に延在する封止部材であって、封止部材は媒体パックの外表面から離間されたピンチシール部を含む、封止部材を含む。
2019519367.tif 000002
【特許請求の範囲】
【請求項１】
筐体の内部開口内に取り外し可能に位置付けることができるように構成されたフィルタカートリッジであって、
入口端部、出口端部、および外周形状を有する外表面を含む媒体パックと、
（ａ）前記媒体パックの少なくとも一部を包囲する枠部材であって、前記枠部材は前記媒体パックの前記外周形状と異なる形状を有する枠壁を含む、枠部材と、
（ｂ）前記媒体パックの少なくとも一部を包囲する殻であって、前記殻は前記媒体パックの前記外周形状と異なる形状を有する殻壁を含む、殻の少なくとも１つと、
前記媒体パックの前記入口端部の少なくとも一部を中心に延在する封止部材であって、前記封止部材は前記媒体パックの前記外表面から離間されたピンチシール部を含む、封止部材を含む、フィルタカートリッジ。
【請求項２】
入口端部、出口端部、および内周形状を有する筐体壁によって画定された前記入口端部と前記出口端部との間の内部開口を含む筐体との組合せにおける、請求項１に記載のフィルタカートリッジ。
【請求項３】
前記殻を含み、前記殻壁は、前記筐体壁の前記内周形状に概ね一致する外形を有する、請求項２に記載の組合せ。
【請求項４】
前記枠部材を含み、前記枠壁は、前記筐体壁の前記内周形状に概ね一致する外形を有する、請求項２に記載の組合せ。
【請求項５】
前記枠部材および前記殻の両方を含む、請求項１に記載のフィルタカートリッジ。
【請求項６】
前記封止部材は可撓性である、請求項１に記載のフィルタカートリッジ。
【請求項７】
少なくとも前記枠部材を含み、前記枠部材は、前記媒体パックが前記枠部材の内部開口内の少なくとも一部に位置付けられるとき、前記枠壁と前記媒体パックの前記外表面との間に配置された隙間を横切る少なくとも１つの場所において、その上縁部で前記枠壁から内方に延在する上唇部によって少なくとも一部が画定された前記内部開口をさらに含む、請求項１に記載のフィルタカートリッジ。
【請求項８】
少なくとも前記枠部材を含み、前記枠壁は、前記枠部材の内部開口を横切って延在するハンドルをさらに含む、請求項１に記載のフィルタカートリッジ。
【請求項９】
少なくとも前記枠部材を含み、前記枠壁は、前記枠壁の高さの少なくとも一部に沿って延在する、少なくとも１つの切欠きを含む、請求項１に記載のフィルタカートリッジ。
【請求項１０】
前記枠壁は複数の切欠きを含み、前記切欠きのそれぞれは前記枠壁の前記高さの少なくとも一部に沿って延在する、請求項９に記載のフィルタカートリッジ。
【請求項１１】
前記枠部材は少なくとも１つの湾曲部および少なくとも１つの直線部を含み、前記少なくとも１つの湾曲部上に配置された切欠きは、前記少なくとも１つの直線部上に配置された切欠きの大きさと異なる大きさを含む、請求項９に記載のフィルタカートリッジ。
【請求項１２】
前記媒体パックの前記外周形状は少なくとも１つの湾曲部を含み、前記枠壁および前記殻の少なくとも１つの前記形状は多角形状を含む、請求項１に記載のフィルタカートリッジ。
【請求項１３】
少なくとも前記枠部材を含み、前記枠部材は、底周囲縁部および前記底周囲縁部から延在する少なくとも１つの延長部材をさらに含む、請求項１に記載のフィルタカートリッジ。
【請求項１４】
前記殻をさらに含み、前記殻は、前記殻の上縁部の少なくとも一部を中心に延在するフランジをさらに含む、請求項１３に記載のフィルタカートリッジ。
【請求項１５】
各延長部材は一定の長さ、および前記延長部材の前記長さが、前記枠壁の前記底周囲縁部が前記殻の前記フランジから離間された距離に対応するように、前記殻の前記フランジに接触するように構成された遠位端を含む、請求項１４に記載のフィルタカートリッジ。
【請求項１６】
前記少なくとも１つの延長部材は、前記枠壁の前記底周囲縁部を中心に互いから離間された複数の延長部材を含む、請求項１３に記載のフィルタカートリッジ。
【請求項１７】
前記複数の延長部材は、前記枠壁の前記底周囲縁部を中心に互いから同じ距離に離間される、請求項１６に記載のフィルタカートリッジ。
【請求項１８】
前記複数の延長部材は、前記枠部材の前記底周囲縁部を中心に互いから同じ距離に全てが離間されない、請求項１６に記載のフィルタカートリッジ。
【請求項１９】
入口端部、出口端部、および内表面を有する筐体壁によって画定された前記入口端部と前記出口端部との間の内部開口を含む筐体と、
前記筐体の前記内部開口内に取り外し可能に位置付けられたフィルタカートリッジであって、前記フィルタカートリッジは、
入口端部、反対側の出口端部、および外表面を有する媒体パックと、
前記媒体パックの前記入口端部に固定された封止部材であって、前記封止部材は前記媒体パックの前記外表面から離間されたピンチシール部を含み、前記封止部は、前記フィルタカートリッジが前記筐体の前記内部開口内に位置付けられるとき、前記筐体の筐体チャネル内に位置付けることができる、封止部材を含む、フィルタカートリッジと、
前記フィルタカートリッジと前記筐体の前記入口端部との間に位置付けることができる前置清浄機アセンブリであって、前記前置清浄機は、
下縁部を含むベース部材と、
前記筐体の前記入口端部に取り外し可能に取り付けることができるアクセスカバーであって、前記前置清浄機アセンブリは、前記ベース部材の下縁部を前記封止部材の上面に押し付けることにより、前記空気清浄機アセンブリ内に封止することができる、アクセスカバーを含む、前置清浄機アセンブリとを含む、空気清浄機アセンブリ。
【請求項２０】
前記アクセスカバーは、その周囲の少なくとも一部を中心に延在するアクセスカバーチャネル、および前記アクセスカバーチャネル内に位置付けられたガスケットを含み、前記前置清浄機アセンブリは、前記アクセスカバーの前記ガスケットを前記筐体の前記入口に押し付けることによりさらに封止可能である、請求項１９に記載の空気清浄機アセンブリ。
【請求項２１】
前記アクセスカバーは前記前置清浄機の前記ベース部材に取り外し可能に取り付けることができる、請求項１９に記載の空気清浄機アセンブリ。
【請求項２２】
前記封止部材は、前記媒体パックから半径方向外方に突起する周囲封止装着部を含み、前記周囲封止装着部は、前記筐体チャネル内に位置付けることができる、請求項１９に記載の空気清浄機アセンブリ。
【請求項２３】
前記フィルタカートリッジは、前記媒体パックを包囲し、前記封止部材から前記媒体パックの前記出口端部に向かって延在する外殻を含み、前記周囲封止装着突起は、前記外殻から半径方向外方に延在するフランジを含む、請求項２２に記載の空気清浄機アセンブリ。
【請求項２４】
前記封止部材は起伏のある外表面を含む、請求項１９に記載の空気清浄機アセンブリ。
【請求項２５】
入口端部、出口端部、および前記入口端部と前記出口端部との間の内部開口を含む筐体と、
前記筐体の入口端部における前置清浄機アセンブリであって、前記前置清浄機アセンブリは、
前置清浄機本体と、
前記筐体の前記入口端部に取り外し可能に取り付けることができるアクセスカバーと、
流管配置内で前記アクセスカバーから第１の方向に延在する複数の汚染分離管であって、前記流管配置は前記アクセスカバーの長さに沿って互いから離間された列に配置された複数の対の管を含み、各列の前記管はそれぞれの隣接した列の前記管からずれている、複数の汚染分離管を含む、前置清浄機アセンブリとを含む、空気清浄機アセンブリ。
【請求項２６】
前記アクセスカバーは、前記入口端部の上で前記筐体上に取り外し可能に装着され、前記汚染分離管は前記筐体の前記出口端部に向かって突起する、請求項２５に記載の空気清浄機。
【請求項２７】
前記汚染分離管は、それぞれが前記汚染分離管の入口端部と出口端部との間に位置付けられた排出スロットを含み、前記排出スロットは、それぞれが前記前置清浄機アセンブリから汚染物質を方向移動するために回転して位置付けることができる、請求項２５に記載の空気清浄機。
【請求項２８】
前記複数の汚染管は第１の方向に面するそれらの排出スロットを備えて回転して位置付けられる第１の複数の汚染分離管、および前記第１の方向と異なる第２の方向に面するそれらの排出スロットを備えて回転して位置付けられる第２の複数の汚染分離管を含む、請求項２６に記載の空気清浄機アセンブリ。
【請求項２９】
筐体の内部開口内に取り外し可能に位置付けることができるように構成されたフィルタカートリッジであって、
入口端部、出口端部、および外表面を含む媒体パックと、
前記媒体パックの少なくとも一部を包囲する枠部材であって、前記枠部材は枠壁、底周囲縁部、および前記底周囲縁部から延在する少なくとも１つの延長部材を含む、枠部材と、
前記媒体パックの少なくとも一部を包囲する殻であって、前記殻は、前記殻の上縁部の少なくとも一部を中心に延在する支持表面を含む、殻と、
前記媒体パックの前記入口端部の少なくとも一部を中心に延在する封止部材であって、前記封止部材は、前記媒体パックの前記外表面から離間されるピンチシール部を含み、前記封止部材は、前記殻に前記媒体パックを接合するように、前記枠に前記媒体パックを接合するように、また前記媒体パックと前記枠部材と前記殻との間に封止を生成するように構成される、封止部材とを含む、フィルタカートリッジ。
【請求項３０】
各延長部材は一定の長さ、および前記延長部材の前記長さが、前記枠壁の前記底周囲縁部と前記殻の前記支持表面との間の隙間に対応するように、前記殻の前記上縁部に接触するように構成された遠位端を含む、請求項２９に記載のフィルタカートリッジ。
【請求項３１】
前記殻の前記支持表面はフランジを含み、各延長部材の前記遠位端は前記殻の前記フランジに接触する、請求項３０に記載のフィルタカートリッジ。
【請求項３２】
前記少なくとも１つの延長部材は、前記枠部材の前記底周囲縁部を中心に互いから離間された複数の延長部材を含む、請求項２９に記載のフィルタカートリッジ。
【請求項３３】
前記複数の延長部材は、前記枠部材の前記底周囲縁部を中心に互いから同じ距離に離間される、請求項３２に記載のフィルタカートリッジ。
【請求項３４】
前記複数の延長部材は、前記枠部材の前記底周囲縁部を中心に互いから異なる距離に離間される、請求項３２に記載のフィルタカートリッジ。
【発明の詳細な説明】
【技術分野】
【０００１】
関連出願の相互参照
本出願は２０１６年７月６日に出願された米国仮特許出願第６２／３５８，９３２号の利益を主張し、その全内容は参照によりその全体が本明細書に組み込まれる。
【０００２】
本発明は、典型的には内燃機関用の吸気などの空気を濾過する際に使用するためのフィルタ配置に関し、より詳細には所望の濾過機能を提供するために筐体内に配置された複数の構成要素を含むフィルタアセンブリに関する。
【背景技術】
【０００３】
空気の流れは、粉塵および他の微粒子などの汚染材料を運ぶ可能性がある。例えば建設機器、動力式車両、発電機器、燃焼炉などのための機関に提供する気流の流れは、その中に粒子状汚染物質を運ぶ可能性があり、粒子状汚染物質はそのような機器の性能を損傷し、かつ／または悪影響を与える可能性がある。多くの場合、空気の流れから入る汚染材料の一部またはすべてを濾過する必要があり、かつ／または望ましい。多数の空気フィルタ配置は、汚染除去のために開発されており、具体的には機器内または機器に隣接したある特定の空間内で協働するように設計されることが多い。しかし空気濾過機器の有効性および効率を引き続き向上させる必要がある。
【発明の概要】
【課題を解決するための手段】
【０００４】
本発明の一態様では、筐体の内部開口内に取り外し可能に位置付けることができるように構成されたフィルタカートリッジが提供される。フィルタカートリッジは、入口端部、出口端部、および外周形状を有する外表面を備えた媒体パック、ならびに（ａ）媒体パックの少なくとも一部を包囲する枠部材であって、枠部材は媒体パックの外周形状と異なる形状を有する枠壁を含む、枠部材、および（ｂ）媒体パックの少なくとも一部を包囲する殻であって、殻は媒体パックの外周形状と異なる形状を有する殻壁を含む、殻の少なくとも１つを含む。カートリッジは、媒体パックの入口端部の少なくとも一部を中心に延在する封止部材をさらに含み、封止部材は媒体パックの外表面から離間されたピンチシール部を含む。フィルタカートリッジは、入口端部、出口端部、および内周形状を有する筐体壁によって画定された入口端部と出口端部との間の内部開口を含む筐体と組み合わせて使用することができる。殻壁および枠壁の少なくとも１つは、筐体壁の内周形状に概ね一致する外形を有することができる。枠部材が提供されるとき、枠部材は、媒体パックが枠部材の内部開口内の少なくとも一部に位置付けられるとき、枠壁と媒体パックの外表面との間に配置された隙間を横切る少なくとも１つの場所において、その上縁部で枠壁から内方に延在する上唇部によって少なくとも一部が画定された内部開口を含むことができる。また枠部材はハンドル、および／または枠壁の高さの少なくとも一部に沿って延在する少なくとも１つの切欠、および／または枠壁の底縁部から延在する少なくとも１つの突起もしくは支持棒を含むこともできる。
【０００５】
本発明の別の態様によれば、入口端部、出口端部、および内表面を有する筐体壁によって画定された入口端部と出口端部との間の内部開口を含む筐体と、筐体の内部開口内に取り外し可能に位置付けられたフィルタカートリッジとを含む、空気清浄機アセンブリが提供される。フィルタカートリッジは、入口端部、反対側の出口端部、および外表面を有する媒体パックと、媒体パックの入口端部に固定された封止部材であって、封止部材は媒体パックの外表面から離間されたピンチシール部を含み、封止部は、フィルタカートリッジが筐体の内部開口内に位置付けられるとき、筐体のチャネル内に位置付けることができる、封止部材とを含む。アセンブリは、フィルタカートリッジと筐体の入口端部との間に位置付けることができる前置清浄機アセンブリをさらに含み、前置清浄機は、下縁部を含むベース部材、および筐体の入口端部に取り外し可能に取り付けることができるアクセスカバーを含み、前置清浄機アセンブリは、ベース部材の下縁部を封止部材の上面に押し付けること、およびアクセスカバーのガスケットを筐体の入口端部に押し付けることにより、空気清浄機アセンブリ内に封止することができる。
【０００６】
本発明の別の態様によれば、入口端部、出口端部、および入口端部と出口端部との間の内部開口を含む筐体と、筐体の入口端部における前置清浄機アセンブリとを含む、空気清浄機アセンブリが提供される。前置清浄機アセンブリは、前置清浄機本体と、筐体の入口端部に取り外し可能に取り付けることができるアクセスカバーと、流管配置内でアクセスカバーから第１の方向に延在する複数の汚染分離管であって、流管配置はアクセスカバーの長さに沿って互いから離間された列に配置された複数の対の管を含み、各列の管はそれぞれの隣接した列の管からずれている、複数の汚染分離管とを含む。アクセスカバーは、入口端部の上で筐体上に取り外し可能に装着されてもよく、汚染分離管は筐体の出口端部に向かって突起する。加えて汚染分離管は、その入口端部と出口端部との間に位置付けられた排出スロットを含むことができ、各排出スロットは、前置清浄機アセンブリから汚染物質を方向移動するために回転して位置付けることができる。一構成では、第１の複数の汚染分離管は第１の方向に面するそれらの排出スロットを備えて回転して位置付けることができ、第２の複数の汚染分離管は、第１の方向と異なる第２の方向に面するそれらの排出スロットを備えて回転して位置付けられる。
【０００７】
本発明は添付図面を参照にさらに説明され、同じ構造は数枚の図面全体を通して同じ番号によって言及される。
【図面の簡単な説明】
【０００８】
【図１】本発明の空気清浄機アセンブリ内で使用可能な例示的媒体の型の斜視図である。
【図２】図１に示された媒体の型の一部の拡大断面図である。
【図３】本発明によるフィルタカートリッジ内で使用可能なコイル状フィルタ配置の斜視図であり、これは図１に示された型の媒体を含むことができる。
【図４】本発明による空気清浄機アセンブリの斜視図であり、図は概ね空気清浄機アセンブリの入口端部に向いている。
【図５】図４の空気清浄機アセンブリの別の斜視図であり、図は概ね空気清浄機アセンブリの出口端部に向いている。
【図６】図４の空気清浄機アセンブリの分解斜視図である。
【図７】図４の空気清浄機アセンブリの空気清浄機筐体の斜視図である。
【図８】図４の空気清浄機アセンブリの前置清浄機の拡大斜視図である。
【図９】図４の空気清浄機アセンブリの斜視断面図であり、前置清浄機を含む。
【図１０】図４の空気清浄機アセンブリの断面図であり、その斜視断面図は図９に示されている。
【図１１】図１０に示された空気清浄機の一部の分解断面図である。
【図１２】空気清浄機アセンブリ内で使用するための、本発明の例示的フィルタカートリッジの斜視図である。
【図１３】図１２に示されたフィルタカートリッジの分解斜視図である。
【図１４】図１２および１３のフィルタカートリッジのフィルタ封止部材の斜視図である。
【図１５】空気清浄機アセンブリ内で使用するための、本発明の別の例示的フィルタカートリッジの斜視図である。
【図１６】図１５に示されたフィルタカートリッジの分解斜視図である。
【図１７】図１５および１６のフィルタカートリッジのフィルタ封止部材の斜視図である。
【図１８】本発明の空気清浄機アセンブリ内で使用するための、安全フィルタ要素の斜視図である。
【図１９】空気清浄機筐体に対して係止された構成における、アクセスカバーのラッチの拡大斜視図である。
【図２０】図１９と異なる角度から示された、空気清浄機に対して位置付けられたアクセスカバーのラッチの別の斜視図である。
【図２１】本発明による、図１９〜２０に示された型のラッチの斜視図である。
【図２２】図１９〜２１に示されたラッチの底面斜視図である。
【図２３】図１９〜２２に示されたラッチの側面図である。
【図２４】本発明の空気清浄機アセンブリの例示的実施形態の分解斜視図である。
【図２５】図２４に示された型の空気清浄アセンブリ内で使用するためのフィルタカートリッジの斜視図である。
【発明を実施するための形態】
【０００９】
次に図を参照すると、構成要素は数枚の図全体を通して同じ番号で標されており、まず図１〜２を参照すると、本発明のフィルタシステムの実施形態で使用できる、縦溝付きフィルタ媒体の例示的構成が示されている。具体的には縦溝付きフィルタ媒体（媒体リッジを有する媒体としても公知である）は、様々な手法で縦溝付きフィルタ構造を提供するために使用することができる。１つの周知の手法は、ｚ型フィルタ構造として本明細書に特徴付けられている。本明細書で使用される場合、用語「ｚ型フィルタ構造」は、個々が波形にされ、折り畳まれ、または別法により形成されたフィルタ縦溝が、媒体を通る流体流れのための長手方向の、典型的には平行な入口フィルタ縦溝および出口フィルタ縦溝の組を画定するために使用されるフィルタ構造の型を指すことを意味し、流体は媒体の対向する入口流端と出口流端（または流面）との間で縦溝の長さに沿って流れる。ｚ型フィルタ媒体の一部の例は、米国特許第５，８２０，６４６号明細書、同第５，７７２，８８３号明細書、同第５，９０２，３６４号明細書、同第５，７９２，２４７号明細書、同第５，８９５，５７４号明細書、同第６，２１０，４６９号明細書、同第６，１９０，４３２号明細書、同第６，３５０，２９６号明細書、同第６，１７９，８９０号明細書、同第６，２３５，１９５号明細書、同第Ｄ３９９，９４４号明細書、同第Ｄ４２８，１２８号明細書、同第Ｄ３９６，０９８号明細書、同第Ｄ３９８，０４６号明細書、および同第Ｄ４３７，４０１号明細書に提供されており、それぞれが参照により本明細書に組み込まれる。
【００１０】
ｚ型フィルタ媒体の１つの型は、媒体構造を形成するために一緒に接合された２つの特定の媒体の構成要素を利用する。２つの構成要素は、縦溝付き（典型的には波形の）媒体シートおよび対面媒体シートを含む。対面媒体シートは典型的には非波形であるが、参照により本明細書に組み込まれる、２００４年２月１１日に出願された米国仮特許出願第６０／５４３，８０４号明細書、および２００５年８月２５日に公開されたＰＣＴ国際公開第０５／０７７４８７号パンフレットに記載されているように、波形（例えば縦溝方向に垂直）であることも可能である。
【００１１】
縦溝付き媒体シートおよび対面媒体シートは、平行な入口縦溝および出口縦溝を有する媒体を画定するために一緒に使用される。場合によっては、縦溝付きシートおよび対面シートは一緒に固定され、次いでｚ型フィルタ媒体構造を形成するために媒体ストリップとしてコイル状にされる。そのような配置は、例えば米国特許第６，２３５，１９５号明細書および同第６，１７９，８９０号明細書に記載されており、それぞれは参照により本明細書に組み込まれる。ある特定の他の配置では、対面媒体に固定された一部の非コイル状部分または縦溝付き（典型的には波形）媒体のストリップが、フィルタ構造を生成するために互いに積み重ねられる。
【００１２】
波形媒体は縦溝付き媒体の特殊な形であり、縦溝付き媒体は個々の縦溝またはそれを横切って延在するリッジ（例えば波形にする、または折り畳むことによって形成される）を有する。本明細書で使用される場合、用語「波形」は、２つの波型ローラの間を媒体が通過する（例えば２つのローラのそれぞれが、得られる媒体に波形を生じるように適切な表面特徴を有する、２つのローラの間に送り込み、または食い込ませる）ことからもたらされる縦溝構造を有する媒体などの媒体の構造を指す。
【００１３】
修理可能なフィルタ要素またはフィルタカートリッジ構成を利用するｚ型フィルタ媒体は、場合によって「直線貫通流構成」またはその変形で呼ばれる。概して修理可能なフィルタ要素またはカートリッジは、入口流端（または面）および反対側の出口流端（または面）を有し、流れは概して同じ直線貫通方向にフィルタカートリッジに入出する。この文脈では用語「修理可能な」は、対応する流体（例えば空気）清浄機から定期的に取り外して置換される、フィルタカートリッジを含有する媒体を指すことを意味する。
【００１４】
図１は、本発明のフィルタシステムのためのｚ型フィルタ媒体構造内で使用可能な例示的媒体１を示す。用語「ｚ型フィルタ媒体構造」は、概して波形のウェブもしくは別法により入口縦溝および出口縦溝を画定できるために適切な封止に固定された縦溝付き媒体、もしくは適切な封止に面する媒体、ならびに／またはそのような媒体から入口縦溝および出口縦溝の三次元網に構築もしくは形成された媒体パック、ならびに／またはそのような媒体パックを含むフィルタカートリッジもしくは構造を指すことを意味する。媒体１は、縦溝付きまたはリッジ付きシート３および対面シート４から形成される。媒体１などの構造は、本明細書では単一フェーサまたは単一対面ストリップを指す。
【００１５】
概して波形縦溝付きまたはリッジ付きシート３は、標準の湾曲した波模様の縦溝、リッジ、またはトラフ７ｂおよびリッジ７ａの交互のパターンで配置された波形７を有するように本明細書に特徴付けられた型からなり、各トラフ７ｂは実質的に各リッジ７ａに対して反対のリッジである。概して波形パターンは媒体に提供された、折り畳んだまたは皺を付けた形状から生じるのではなく、むしろ各リッジの頂点７ａおよび各トラフの底部７ｂは、半径曲線に沿って形成することができる。そのようなｚ型フィルタ媒体に対する例示的半径は、０．２５ｍｍ〜３ｍｍであるはずである。
【００１６】
引き続き図１を参照すると、媒体１は第１および第２の対向する縁部８および９を有する。媒体１が媒体パックに形成されると、縁部９は概して媒体パックに対する入口端部または面を提供し、縁部８は出口端部または面を提供するが、反対の配向が可能である。隣接した縁部８はシーラントビーズ１０を提供されてもよく、シーラントビーズ１０は波形シート３および対面シート４を一緒に封止する。このようなシーラントビーズ１０は、空気の通過に対して縁部８に隣接した閉じた個々の縦溝１１を封止する。
【００１７】
別の封止ビーズ１４は縁部９に隣接して提供することができ、縁部９は概して濾過されていない材料の通過に対して縦溝１５を閉じる。ビーズ１４は、媒体１が媒体パックに構成される際に適用することができる。媒体パックがストリップの積層から作成される場合、一例では、ビーズ１４は対面シート４の背面１７と次隣接の波形シート３の側面１８との間に封止を形成する。
【００１８】
一旦フィルタ媒体１が積層またはコイル状などにすることによって媒体パックに組み込まれると、フィルタ媒体１は以下のように利用することができる。まず空気は矢印１２の方向に端部９に隣接した開口縦溝１１に入ることができる。ビーズ１０によって端部８で閉鎖していることに起因して、空気は矢印１３によって示されているようにフィルタ媒体１を通過することができる。次いで空気は、媒体パックの端部８に隣接した縦溝１５の開口端部１５ａを通過することにより、媒体または媒体パックから出ることができる。作動は、その代わりに反対方向の気流を起こすことができる。
【００１９】
図１に示された例示的配置については、波形部７ａ、７ｂは、概して縁部８から縁部９に媒体に沿って直線に延在する。直線の縦溝、リッジまたは波形部は、端部などの選択された場所で変形し、または折り畳むことができる。閉鎖のために縦溝の端部における修正は、概して「標準」、「湾曲」および「波模様」の上記の定義において無視される。
【００２０】
直線、標準の湾曲した波模様の波形形状を利用しないｚ型フィルタ構造も、本発明のアセンブリに使用することができる。いくつかの例については、米国特許第５，５６２，８２５号明細書（Ｙａｍａｄａら）は、（湾曲側面を備えた）狭いＶ字形出口縦溝に隣接した（断面が）若干半円の入口縦溝を利用する波形パターンを提供し、米国特許第５，０４９，３２６号明細書（Ｍａｔｓｕｍｏｔｏら）は、（断面が）円形、または得られる平行で直線の縦溝の間に平坦な領域を備える、半管を有する１つのシートに取り付けられた半管を有する別のシートによって画定された管状縦溝を提供し、米国特許第４，９２５，５６１号明細書（Ｉｓｈｉｉら）は、長方形の断面を有するために折り畳まれ、それらの長さに沿って先細である縦溝を提供し、国際公開第９７／４０９１８号パンフレットは、（隣接した湾曲凸部および凹部トラフから）湾曲した波模様を有するが、それらの長さに沿って先細である縦溝または平行な波形を提供し、国際公開第９７／４０９１８号パンフレットは、湾曲した波模様を有するが、異なる大きさのリッジおよびトラフを備える縦溝を提供している。これらの参照のそれぞれはその全体が参照により本明細書に組み込まれる。また様々なリッジを含むために形状を修正された縦溝も、本発明のアセンブリに利用することができる。
【００２１】
概して使用されるフィルタ媒体は、その中に樹脂を含むことができる（セルロース繊維、合成繊維、または両方の）不織繊維材料などの比較的可撓性の材料であり、場合によっては追加材料とともに処理される。したがってフィルタ媒体は、媒体が許容できない損傷をすることなく様々な波型パターンに合わせ、または構成することができる。またフィルタ媒体は、媒体が許容できない損傷をすることなく、容易にコイル状にし、または別法により使用するために構成することもできる。媒体は、概して使用中に求められる波形構成を維持するような性質になる。
【００２２】
波形工程の間、媒体は、媒体がその元の形状に戻らないように、非弾性的に形成することができる。しかし一旦張力が解放されると、縦溝または波形は依然としてわずかに跳ね返る傾向があることがあり、張力の一部のみが回復し、屈曲が起きている。したがって対面媒体シートは、場合によっては参照番号によって指定された場所などの波形シート内でこの跳ね返りを阻止するために、縦溝付き媒体シートに留められる。また波形（縦溝付き）シート３および／または対面シート４の媒体は、例えば参照により本明細書に組み込まれる米国特許第６，６７３，１３６号明細書によれば、その片側または両側に細繊維材料を提供することができる。このような細繊維材料が使用される一部の例では、材料の上流側および縦溝の内側に細繊維を提供することが望ましいことがある。これが起こると、気流は典型的には留めるビーズを含む縁部の中に入る。
【００２３】
図２はｚ型フィルタ媒体構造４０の例示的構成を示し、ｚ型フィルタ媒体構造４０は標準の湾曲した波模様の波形シート４３、および非波形の平坦なシート４４を含む。点５０と５１との間の距離Ｄ１は、所与の波形縦溝５３の下の領域５２に平坦な媒体４４の延長を画定する。同じ距離Ｄ１の上の波形縦溝５３に対する弓形媒体の長さＤ２は、波形縦溝３０の形状に起因してＤ１より長い。縦溝付きフィルタの適用に使用された例示の標準に形状された媒体については、点５０と５１との間の媒体５３の直線長さＤ２は、少なくともＤ１の１．２倍、例えばＤ１の１．２〜２．０倍の範囲であることが可能である。典型的な例示的空気フィルタ構成では、Ｄ２はＤ１の約１．２５〜１．３５倍である。このような媒体は、例えば商品名「Ｐｏｗｅｒｃｏｒｅ」でＤｏｎａｌｄｓｏｎから市販のものなどのＺ型フィルタ配置に商業的に利用されてきた。その開示が参照により本明細書に組み込まれる、Ｂａｌｄｗｉｎ  Ｆｉｌｔｅｒｓ，Ｉｎｃ．が所有し、２０１４年７月３１日に公開された米国特許出願公開第２０１４／０２０８７０５号明細書に記載されているような、それに固定された対面媒体を備えた縦溝付き媒体を含む別の媒体の変形は、本発明による配置に使用することができる。
【００２４】
コイル状媒体または媒体パックの配置は、円形、長円形、および楕円形などの種々の外周形状を提供することができ、一部の楕円形状は、これも湾曲している１対の対向する側面によって取り付けられた対向する湾曲端部を有する。場合によってはレーストラックと呼ばれる他の楕円形状では、対向する湾曲端部の間の対向する側面は概して直線である。レーストラック形状は、例えばそれぞれが参照により本明細書に組み込まれる、ＰＣＴ国際公開第０４／００７０５４号パンフレットおよび国際公開第０４／０８２７９５号パンフレットとして公開されたＰＣＴ出願第ＵＳ０４／０７９２７号パンフレットに記載されている。
【００２５】
図３は、単一対面媒体の単一ストリップをコイル状にすることによって構築された、例示的コイル状媒体パック（コイル状媒体とも呼ばれる）１３０を示す。描かれた具体的なコイル状媒体パックは、楕円形媒体パック１３０ａであり、媒体パック１３０ａは、より具体的にはレーストラック形状の媒体パック１３１と呼ばれてもよい。媒体の尾端部１３１ｘは、媒体パック１３０の外側に示されている。熱溶解封止ビーズまたは封止ビーズは、封止を確保するためにその尾端部に沿って位置付けることができる。媒体パック１３０では、対向する流（端）面は１３２、１３３で指定されている。追加の媒体の型は本発明のフィルタ配置に使用することができ、媒体は、例えば２０１４年１１月１０日に出願され、本開示の出願人によって所有される、米国特許出願第６２／０７７，７４９号明細書に記載されている媒体などの、対向する入口流端および出口流端または面を含む配置に典型的には積層される、またはコイル状にされる。
【００２６】
本明細書に特徴付けられた技法の多くは、対向する縦溝または襞先端の端部の間で１方向に延在する縦溝または襞先端を有する媒体などの、カートリッジの対向する流端の間を濾過するように配向された媒体とともに使用される。しかし封止配置の定義に対して本明細書に特徴付けられた技法は、対向する流端を有する他のフィルタカートリッジに適用することができ、媒体が縦溝または襞先端の端部の間の１方向に延在する縦溝または襞先端を含まないときであっても、媒体は流端の間のフィルタ流体流れを濾過するように位置付けられる。媒体は、例えば深層媒体であることが可能であり、交互の方向に襞を付けることが可能であり、または襞を付けない材料であることが可能である。
【００２７】
図４〜２０は、本発明による空気清浄機アセンブリの例示的実施形態を示し、これは図１〜３に対して先に論じたような媒体および／または媒体パック、または他の適切な媒体を有するフィルタカートリッジを含むことができる。まず図４および５を参照すると、本発明による例示的空気清浄アセンブリ４００の異なる図面が示されており、このアセンブリは、フィルタカートリッジを置き、取り除くなどのために、筐体の内部領域に接近させる取り外し可能なアクセスカバー４０３を備える筐体４０１を概して含む。空気清浄アセンブリ４００は、濾過された空気を排出するために位置付けられた出口４０５をさらに含む。出口４０５は筐体４０１から分離して作成し、それに取り付けることができ、または出口４０５は筐体４０１の一部として一体に構築することができる。出口４０５はアセンブリ内に分離した構成要素として提供することができ、この場合異なる出口構成を選択できることが望ましいことがある。筐体４０１は空気入口端部４０２をさらに含み、濾過される空気は空気入口端部４０２を通ってアセンブリ４００に入る。
【００２８】
筐体４０１は、種々の材料または材料の組合せを使用し、多数の異なる構築技法を使用して構築することができる。例示的一実施形態では、筐体４０１は成形プラスチック構成要素であり、成形プラスチック構成要素は、筐体４０１に構造強度を提供し、かつ／または美的目的のためにその外表面から延在する任意選択のリブ部材を含むことができる。したがって任意選択でリブが提供されるとき、筐体４０１は、異なる形状、大きさ、および量を含むリブの所望の機能を満たすために多種多様な構成を有することができる。
【００２９】
示された具体的な空気清浄アセンブリ４００は、その入口端部に隣接した前置清浄機４１０を含む２段階の空気清浄アセンブリである。前置清浄機４１０の概略位置および構成は図４に示されているが、前置清浄機４１０を作り上げる構成要素は、例えば図６および８により良く示されており、以下にさらに詳しく記載される。前置清浄機４１０は、概して空気がその中に位置付けられたフィルタカートリッジに達する前に、選択された材料、または空気清浄機アセンブリ４００の中に空気の流れによって運ばれた汚染物質を浄化するために使用される。このような事前浄化は、雨水もしくは飛沫その他などの液体粒子、および／または様々な粉塵もしくは他の微粒子（例えばより大きい微粒子）を実質的に取り除くことができる。示された例では、前置清浄機４１０は、筐体４０１に取り付け可能なアクセスカバー４０３を含む。空気清浄機アセンブリ４００は、本発明の一実施形態では前置清浄機を含まなくてもよいことが企図される。このような場合、アクセスカバーは筐体４０１に直接取り付け可能になり、筐体４０１の内部領域およびその中に含有されたあらゆる構成要素に直接接近させる。
【００３０】
示された実施形態では、アクセスカバー４０３は、アクセスカバー４０３に取り外し可能に取り付けられた複数のコネクタまたはラッチ４１９を連結し離断することにより、筐体４０１に取り付け可能であり、筐体４０１から取り外し可能である。示された実施形態では、２つのラッチ４１９は、アクセスカバー４０３の対向する縁部上に対称的に位置付けられている。しかしアクセスカバー４０３の各縁部上の２つのラッチ、アクセスカバー４０３の対向する縁部上の異なる数のラッチ、またはアクセスカバー４０３の周囲を中心に異なる場所に位置付けられたラッチなど、ラッチ４１９に対して異なる数および／または場所を使用することができることが理解される。ラッチ４１９の代わりに、またはラッチ４１９に加えて、例えばボルトまたは他の締結具を含む代替コネクタの配置を使用することができることがさらに理解される。
【００３１】
筐体４０１は、装着パッドの配置をさらに含み、空気清浄機アセンブリ４００は装着パッドの配置により使用のための機器に固定することができる。図４および５に示された例示的装着パッドの配置は、筐体４０１の外表面から延在する複数の装着足またはパッド４１４を含む。この例示的実施形態では、装着足４１４は、ネジまたは足の中心孔と係合できる他の延在部材などのコネクタと係合するように構成される。この実施形態は筐体４０１の各側面上に４つの装着足またはパッド４１４が提供されているが、その代わりに異なる数の足またはパッドを提供することができる。
【００３２】
図５に最も良く示されているように、筐体４０１は出口４０５に隣接したユーティリティポート４２３をさらに含む。ポート４２３は制限インジケータまたは他の機器に使用することができる。加えて空気流量センサ（ＭＡＦＳ）の配置は、任意選択で出口４０５またはさらに下流に配置された他の導管内に装着することができる。
【００３３】
引き続き図４および５を参照すると、筐体４０１は、フィルタがこの配向に位置付けられるとき、その下端部または底部領域に排出部または出口ポート４２６をさらに含む。ポート４２６は筐体４０１から前置清浄機によって収集された微粒子および／または水（すなわち汚染物質）を取り除くために位置付けられ、したがって排出ポートと呼ばれてもよい。本発明の一実施形態では、このポート４２６は、ポート４２６を使用時に下方に向けさせる筐体４０１の一部内に配向される。多くの適用において、出口ポート４２６は、重力が前置清浄機４１０から物質を排出する支援ができるように、このように下方に向けられる。しかし空気清浄機アセンブリ４００をその側面の１つに沿うなど、示されたものと異なって装着するように所望される場合、装着構造はその側面上に提供することができ、またはポート４２６は筐体本体に対して異なる場所に、もしくはアクセスカバーの一部内に位置付けることができる。あらゆるこれらの配置において、ポート４２６はその中に排出弁アセンブリを設けることができ、またはポート４２６は、前置清浄機４１０から材料の除去を促進するために掃気管に取り付けてもよい。
【００３４】
次に図６を参照すると、本発明の空気清浄機アセンブリ４００の例示的実施形態の分解斜視図が示されており、これは概して筐体４０１、前置清浄機４１０、フィルタカートリッジ４３０、および任意選択で安全フィルタ４３５を含み、これらの構成要素およびこれらの互いの関係は以下にさらに詳しく論じる。これらの構成要素はそれぞれが図面の個々の図において図６のこの分解図に示されており、あるいは上および／または下にも記載されている。
【００３５】
筐体４０１の例示的一実施形態については、図４および５に示されたアセンブリ全体に関して上に論じたが、筐体４０１は、その中に位置付けられた対応する空気清浄機アセンブリ４００なしに図７にもさらに詳細に示されている。示されたように、筐体４０１は出口４０５から対向する端部に入口４０２を含み、システムの要素は、空気清浄機アセンブリ４００を組み立てるために入口４０２の中に挿入することができる。筐体４０１は、入口４０２の周囲を中心に延在し、入口４０２から分離された内唇部４０６、および筐体４０１の壁から内方に延在する少なくとも１つの突起４０７をさらに含む。加えて筐体４０１は、その外壁の外側に入口４０２に隣接して少なくとも１つの固定部材４０８を含み、固定部材４０８は、アクセスカバー４０３のラッチ機構４１９と係合するために提供される。内唇部４０６はチャネルまたはポケット４８１の片側を提供するように位置付けられ、チャネルは、また筐体４０１の内壁および内唇部４０６と筐体４０１の内壁との間に延在する底チャネル表面によって画定される。チャネル４８１は、以下にさらに詳しく記載されるように、概して筐体４０１の周囲を中心に延在する。
【００３６】
また図６に示された前置清浄機４１０は図８にその分解構成でも示されており、ベース部材４１２と係合可能な（同時にラッチを介して筐体４０１に取り付け可能である）アクセスカバー４０３を含む。空気清浄機アセンブリ４００の実施形態では、アクセスカバー４０３は、２つの部分を単一設備として互いに固定し、次いでラッチ４１９を介して筐体４０１に取り付け可能であるために、スナップ嵌め配置などの取り付け構成を介してベース部材４１２と係合することができる。この実施形態では、前置清浄機４１０のアクセスカバー４０３も、例えば洗浄を促進するためにベース部材４１２から分離可能である。しかし前置清浄機４１０の別の実施形態では、アクセスカバー４０３はベース部材４１２に永久に固定され、または単一設備としてアセンブリ４００に提供される単一片として成形される。いずれの場合も、前置清浄機４１０は、概して材料が内部に位置付けられたフィルタカートリッジ４３０に達し得る前に、気流入口を通って空気清浄機に入る粉塵の一部または他の粒子状材料（例えば液体粒子状材料）を除去するために使用される。それによって前置清浄機４１０は、修理せずにアセンブリの作動の耐用期間を延ばすと同時に、フィルタカートリッジを損傷から守る助けとなることができる。
【００３７】
例示的一実施形態では、前置清浄機４１０のベース部材４１２は、アクセスカバー４０３の縁部から延在する少なくとも１つのタブ部材４２０が、ベース部材４１２の外側に配置された係合部材４２２と係合することにより、アクセスカバー４０３に固定される。別法として、タブ部材および他の特徴はベース部材４１２から延在してもよい一方で、係合部材はアクセスカバー４０３から延在する。示された実施形態では、タブ部材４２０はそれぞれが孔４２４を含み、孔４２４は、孔４２４が係合部材４２２と係合するまで、タブ部材４２０が対応する係合部材４２２の上部の上を摺動して、アクセスカバー４０３とベース部材４１２が互いに向かって単に押すことにより、対応する係合部材４２２の少なくとも一部を受け入れるような大きさおよび形状にされる。しかし前置清浄機４１０の構成要素を互いに固定するために、多数の異なる構成および特徴を使用できることが企図される。
【００３８】
図９〜１１は、前置清浄機４１０が筐体４０１内に組み立てられ、位置付けられる際の前置清浄機４１０の様々な図を提供する。アクセスカバー４０３は、周囲装着フランジ４５０を含み、周囲装着フランジ４５０は挿入中に筐体４０１の端部内に位置合わせされる。封止部材またはガスケット４５２はＯリングシールであってもよく、例えばアクセスカバー４０３と筐体４０１との間に位置付けることができる。
【００３９】
アクセスカバー４０３は、カバー４０３の内表面から筐体４０１の内部領域に向かって延在する複数の入口管または汚染分離管４６０をさらに含む。管４６０は、アクセスカバー４０３の内表面から筐体本体の中に少なくとも４０ｍｍまたは６０ｍｍを超えて突起するような大きさであることが可能であるが、より大きいまたはより小さい長さが企図される。管４６０は組立中にカバー４０３内の孔の中に予め形成し押圧嵌合することができ、または別の方法（例えば接着剤で）取り付けることができる。概して各分離管４６０は上流入口端部４６２を含み、空気清浄機アセンブリ４００に入る濾過されていない空気は入口端部４６２を通る。各管４６０は、入口端部４６２内または入口端部４６２に隣接した羽根配置を含むことができ、入口空気のためにサイクロン流を取り込み方向付けるように構成される。また管４６０は、入口端部４６２から離間された反対側の端部４６３も含む。各分離管４６０は、端部４６２と４６３との間に側部スロット４６４をさらに含み、側部スロット４６４を通る汚染物質（粉塵、微粒子汚染排出物または水）は汚染分離部の配置によって分離され、筐体汚染排出ポート４２６を通って最終的な排出のために出ることができ、排出ポート４２６は図４および５に対して上に記載されている。
【００４０】
管４６０の多数の配置が企図されるが、例示的一実施形態は、列に配置された管４６０を含み、それぞれはアクセスカバー４０３の長さに沿って２つの管を含み、管４６０の各列は管４６０のそれぞれの隣接した列から少なくともわずかにずれている（例えば図８参照）。アクセスカバー４０３のこの例示的実施形態に示されたように、管４６０の各列は、１列の管のそれぞれの中心線が管の隣接した列における２つの管の間の空間のほぼ中心に収まるようにずれるが、より大きいまたはより小さい量のずれも企図される。また管４６０の一部またはすべては、所望の手法で気流を方向付けるために使用される羽根の配置も含むことができる。羽根の配置は、所望の気流に依存して大幅に異なることができ、単一のアクセスカバー４０３の管４６０は異なる羽根の配置を有することができることが企図される。
【００４１】
例示的羽根の配置に関しては、各管４６０は、内部に導かれた汚染物質の遠心分離で作動することができることが理解される。これを達成するために、管４６０の入口端部４６２に入る空気は、概して羽根によりサイクロンのパターンに方向付けることができる。各管４６０の側部スロット４６４は、各管４６０の端部４６３に隣接し、端部４６３から離間された側壁部内の弓形開口であることが可能である。側部スロット４６４の大きさおよび形状は、概して作動の最大効率を提供するために選択される。各管４６０の端部４６３は、サイクロン出口であると理解することができ、旋回材料は、概して関連したスロットの中心に対して直角の方向に出る。
【００４２】
空気清浄機アセンブリ４００の示された配向に入る汚染された空気からの汚染物質の効率的な分離を達成するために、管４６０は、汚染物質を概ね外壁に向かって方向付けるように位置付けられた管に関連したスロット４６４を備えて挿入されるので、汚染物質は最終的に排出ポート４２６に向かって下方に動く。これを遂行するために、アクセスカバー４０３の一方の側面上の管４６０をアクセスカバー４０３の他方の側面上の管４６０と異なって（例えば図８において左側に近い管に対して右に近い管）配向することが企図される。一例では右側の管４６０に対して、各出口スロット４６４はポート４２６から離れるように方向付けることができ、左側の管４６０はそれらの管の出口スロット４６４を反対または下方、すなわちポート４２６に向かって方向付けて（中心に）配向することができる。しかし空気清浄機アセンブリ４００が異なって（例えば示された配向から９０度に）配向される場合、管４６０の出口スロット４６４は、その代わりにアクセスカバー４０３の中間に向かってすべてを方向付けることができる。
【００４３】
前置清浄機４１０のベース部材４１２は、そこから延在する複数の出口管４６８を有するベースプレート４６７（図８に概ね示されている）をさらに含む。出口管４６８は、ベース部材４１２およびアクセスカバー４０３が前置清浄機４１０を作成するように組み立てられるとき、各出口管４６８が入口管４６０の１つの中に延在するように、ベースプレート４６７に対して位置付けられる。出口管４６８はベース部材４１２とともに成形され、または別法によりベース部材４１２と一体形成されてもよく、または個別に作成し、次いでベースプレート４６７に取り付けることができる。
【００４４】
次に図１２および１３を参照すると、空気清浄機アセンブリ４００のフィルタカートリッジ４３０の例示的一実施形態が示されており、図１４はフィルタカートリッジ４３０の枠部材４７０の拡大図をさらに示す。フィルタカートリッジ４３０は主要または一次フィルタカートリッジであるとみなすことができ、前置清浄機４１０によりシステムから濾過して除去されなかった所望の量の微粒子または包含材料を選択的に分離するために使用される。カートリッジ４３０は、カートリッジ４３０が空気清浄機４００の耐用期間の間に所望通りに、または必要に応じて定期的に除去でき交換できるように、概ね修理部品または取り外し可能な構成要素である。具体的にはカートリッジ４３０が閉塞したとき、または別法により交換する必要があるとき、アクセスカバー４０３は筐体４０１から分離され、（前置清浄機４１０が使用されている場合）前置清浄機４１０は取り外され、閉塞したフィルタ４３０が取り外される。このように取り外した後、筐体４０１内に新しいフィルタ４３０を置くことができ、または取り外されたフィルタ４３０は修復して筐体４０１内のその以前の位置に置換することができる。前置清浄機４１０および／またはカバー４０３は、次いで空気清浄機アセンブリ４００を再度使用する準備ができるように、筐体４０１内に再位置付けして固定することができる。
【００４５】
図１３の分解図に示されたように、フィルタカートリッジ４３０は、概して媒体パック４３１、殻４８０、枠部材４７０、および封止部材４７４を含み、封止部材４７４は概して比較的可撓性の材料から作成され、本明細書では「可撓性封止部材」と呼ばれることがある。組み立てるとき、媒体パック４３１の下部は殻４８０の内部開口内に位置付けられ、媒体パックの上部は殻４８０の上面の上に延在する。次いで媒体パック４３１のこの上部は、枠部材４７０の内部開口内に位置付けられ、次いで可撓性封止部材４７４は、枠部材４７０と媒体パック４３１の外表面との間の空間を充填し、以下に記載されるように殻４８０および媒体パック４３１に枠部材４７０を連結するように形成される。この図はフィルタカートリッジ４３０が枠部材４７０および殻４８０の両方を含む構成を示すが、これらの２つの構成要素４７０、４８０の１つのみが本発明のフィルタカートリッジの特定の実施形態に提供されてもよいことが企図され、以下の記載はこれらの構成のすべてを企図することに留意されたい。
【００４６】
媒体パック４３１は濾過媒体を含み、濾過媒体は、例えば上記の縦溝付きフィルタ媒体などのあらゆる種々の型であってもよい。例示的一実施形態では、濾過媒体はフィルタ媒体の細長いシートとして提供され、シートは図１３に示されたように、媒体パック４３１のために所定の大きさの長方形もしくはレーストラックの外形を提供するために包まれ、またはコイル状にされる。特定の媒体パック内の濾過媒体の量は、濾過工程の間にある特定の濾過特性を提供するように設計されて選択される。例えば濾過媒体は、ある特定の適用においてより大きい密度に詰め込まれてもよいが、他の適用ではより緩く巻かれてもよい。
【００４７】
図１２および１３を再度参照すると、描かれたフィルタカートリッジ４３０は任意選択の殻４８０を含む。このような殻４８０は媒体パック４３１を包囲し、処理中および使用中に媒体を保護する。殻４８０は例えば予め形成された成形プラスチック片を含むことができ、媒体パック４３１はカートリッジ４３０の組立中にプラスチック片の中に位置付けられる。図のように殻４８０の外表面は、概して枠部材４７０の外形の形状（例えばレーストラックの楕円形）に一致する形状を有することができ、または外表面はその代わりに異なる形状を有することができる。
【００４８】
示された例示的カートリッジ４３０は、カートリッジ４３０が第１の（入口）流面または端部４３２および反対側の出口（流）面または端部４３３を含むという点で「直線の貫通流」であると考えられ、フィルタカートリッジ４３０を通る空気の流れの濾過は、概して入口端部４３２から出口端部４３３までである。より一般的な用語では、主要フィルタカートリッジ４３０は透過性濾過媒体を含み、空気は濾過されながら透過性濾過媒体を通過する。典型的な適用では、フィルタ媒体は、空気がフィルタ媒体パックの入口端部からフィルタ媒体パックの反対側の出口端部に流れ方向に通過する際に、空気の濾過を実施する媒体パック内に構成される。このようにして概してフィルタカートリッジ４３０は、空気が１端部に入り、媒体パック内に実質的に戻すことなく他方から出るという点で、直線の貫通流構成であることが可能である。
【００４９】
枠部材４７０は、筐体の筐体壁の内周形状に概ね一致する外形を有する枠壁４７１を含み、枠壁４７１は筐体内に位置付けられる。この具体的な実施形態では、枠壁４７１の外形は概して細長い八角形形状であるが、外形は、筐体壁の内形に一致するあらゆる所望の多角形形状であってもよいことが理解される。枠部材４７０は上唇部４７３によって画定されたその上縁部に内部開口４７２をさらに含み、上唇部４７３は、媒体パックが枠部材４７０内に位置付けられるとき、枠壁と媒体パックの外表面との間の少なくとも１つの隙間空間を充填するために少なくとも１つの場所に枠壁４７１から内方に延在する。すなわち枠壁４７１の形状（例えば細長い八角形）は媒体パック４３１の外形（例えばレーストラックの楕円形）と異なるので、形状が互いに異なる領域内（例えば枠壁４７１の傾斜した隅部が、フィルタカートリッジ４３０の湾曲した外表面から離間されている領域内）のこれらの要素の間に隙間が存在する。この実施形態では、枠壁４７１からの上唇部４７３の延長部４７９は、その上縁部に沿ったフィルタ封止部材の内部開口４７２に対して内部の長方形またはレーストラックの楕円形状に近づくために隙間を充填する。
【００５０】
本発明の他の実施形態では、枠壁４７１の形状は、媒体パック４３１の外形と同じまたはほぼ同じである。上に論じた隙間と同じ隙間は存在しないので、枠部材はこのような隙間空間を充填するために枠壁から内方に延在する上唇部を有さない。
【００５１】
枠部材４７０は、枠壁４７１の底縁部から延在する複数の支持棒または延長部材４４１をさらに含む。各支持棒４４１は枠壁４７１の底縁部から延在し、殻４８０の上縁部の少なくとも一部を中心に延在するフランジ４４２上に着座する遠位端を有し、支持棒４４１の長さは、枠壁４７１の底縁部がフランジ４４２から離間される距離に対応する。支持棒の大きさ、形状、および量は大幅に異なることが可能であり、概して支持棒の間に十分な空間を提供するように選択され、可撓性封止部材４７４の製造中および組立中に所望の量の封止材料が支持棒を通って流れることができる。支持棒の大きさ、形状、および量に対する別の考慮事項は、製造中および製造後にシステムに十分な構造一体性を提供したいという願望である。
【００５２】
例示的構成では、選ばれた支持棒の数は、可撓性封止部材４７４の形成中にフランジ４４２から所望の距離に枠壁４７１を保持するために十分な構造的一体化を提供する一方で、十分な材料を流して可撓性封止部材４７４を形成することができる。一実施形態では、少なくとも２つの支持棒４４１が枠壁４７１の直線縁部に沿って配置され、少なくとも１つの支持棒４４１が枠壁４７１の傾斜した縁部のそれぞれに沿って配置される。さらに支持棒または延長部材４４１は、フランジ４４２から２ｍｍを超える隙間を提供する長さを有することができ、またはその代わりに２ｍｍ未満であることが可能である。いずれの場合も、支持棒または延長部材４４１は、製造工程の間に十分な材料を流すことができ、しかも枠部材４７０は封止材料によって確実に捕捉される大きさであるべきである。
【００５３】
さらに図１２〜１４を参照すると、示されたフィルタカートリッジ４３０は、枠壁４７１の対向する側面から延在し、カートリッジ入口端部４３２に隣接して配向され、出口端部４３３から離れる方向にそこから突起する端部を有する、任意選択のハンドル４７５を含む。これは、ハンドル４７５がカートリッジ４３０の修理を管理するために操作者が握ることができるように、ハンドル４７５を位置付けて配向する。この実施形態の具体的なハンドル４７５は空間を画定する中心ハンドルブリッジ構造を含み、人の指はその空間を通ってハンドル部材４７５を握っている間に伸ばすことができる。任意選択のハンドル４７５に対して種々の形状、大きさおよび特徴を使用することができる。加えて１つまたは複数の任意選択の追加の支持部材４４３はハンドル４７５から離間され、枠壁４７１内の開口を横切ってハンドル４７５と概ね同じ方向に延在することができる。
【００５４】
例示的フィルタカートリッジ４３０は、上記のように非円形断面形状を有するが、代替形状が可能である。本技法の多くの適用において、フィルタカートリッジは、気流に垂直な平面に長い断面軸、および長軸に垂直な短軸を備え、層軸の中点に沿って配置された断面形状を有し、長軸の長さの（長軸の長さに沿った中間の場所における）短軸に対する割合は少なくとも１．４である。代替形態が可能であるが、このような割合は、一方の断面が反対側の断面に対して比較的低い全体の輪郭を有する空気清浄機に関するので、このような割合が本発明による配置に使用されることがしばしばある。例示的一実施形態では、媒体パックは流端部の間で少なくとも１００ｍｍの長さに延長し、少なくとも２５０ｍｍの長さであることが可能である。
【００５５】
フィルタ４３０の可撓性周囲封止部材４７４は、概して枠部材４７０に隣接した殻４８０の周囲を中心に延在する。フィルタカートリッジ４３０が上記のように筐体内に位置付けられるとき、封止部材４７４は、ピンチシールとして機能するように構成され、位置付けられる。このようなピンチシールは、使用中に封止圧力下で２つの筐体構成要素の間にピンチシールを挟むことができるように、所定の位置でカートリッジ４３０の周囲を中心に延在する。示された封止部材４７４は、軸方向に（すなわちその入口端部からその出口端部に媒体を通って延在する軸の延長方向に）適用される２つの筐体構成要素の間に封止押圧するように構成されるので、業界では「軸方向」ピンチシールと呼ばれることがある。しかし他の型の封止配置が、本発明の選択された原理とともに使用できる。
【００５６】
より具体的には、封止部材４７４は、チャネル４７６（例えば図１２参照）が封止部材４７４の一部と殻４８０との間に提供されるように構成され、チャネル４７６は筐体４０１の内唇部４０６と嵌合するように位置付けられる。チャネル４７６は、殻４８０と封止部材４７４の軸方向部４７７との間に配置することができる。封止部材４７４のこの部分４７７は、空気清浄機アセンブリ４００が作動されるとき、筐体４０１の内表面に漏れ耐性封止を提供する大きさおよび形状である。これを促進するために、封止部材４７４は、このような封止目的のために使用される典型的な型の弾性材料であることが可能である。可撓性封止部材をそれから作成できる１つの例示的材料は、ショアＡ硬度２２以下などの適切な硬度に成形されたウレタンである。可撓性封止部材４７４は定位置に成形することができ、媒体パック４３１は殻４８０の内側に位置付けられ、枠部材４７０はその所望の構成に位置付けられる。結果として、封止部材４７４は、枠部材４７０の枠壁４７１の中に埋め込まれることになる。
【００５７】
図１３を特に参照すると、封止部材４７４は遷移領域４７８を含み、遷移領域４７８は、媒体パック４３１の形状をとるその内表面の一部、ならびに枠部材４７０および／または殻４８０の形状をとる一部を含む。このような領域は、この封止部材４７４のために１つの形状から別の形状への遷移を提供する。
【００５８】
封止部材４７４の軸方向部４７７は、筐体４０１の他の部分との選択的な係合を提供するために、その周囲の一部を中心に起伏を付けることができる。具体的には軸方向部４７７はその周囲を中心に「段」を有するように起伏を付けることができ、これらの段はこれらの段の間の領域に対して窪む、かつ／または突起することができ、また封止部材４７４の残余部よりカートリッジ４３０の出口４３３に向かってさらに突起することもできる。このような段部は大幅に異なることが可能であり、これらの段の例示的構成は国際公開第２０１４／２１０５４１号パンフレットに記載されており、これはその全体が参照により本明細書に組み込まれる。本発明の例示的一実施形態では、段部がより厚い領域では軸方向の寸法がより短いように、同じ量の材料がその周囲を中心に封止部材の各部分に使用される。このような例示的一実施形態で、段部がより薄い領域では段部の軸方向の寸法がより長くなるという点で、逆も真である。
【００５９】
封止部材４７４のこれらの段を収納するために、筐体４０１と唇部４０６との間のチャネルまたはポケット４８１（図１１参照）は、他の領域より深いまたは浅い部分を有することができる。加えて上に言及したように、筐体４０１はその周囲を中心に延在し、入口４０２から離間された内唇部４０６、および筐体４０１の壁から内方に延在する少なくとも１つの突起４０７を含む。この構造に加えて、筐体４０１の突起４０７は筐体４０１の内周を中心に様々な場所に配置することができ、概してポケットまたはチャネル４８１内の少なくとも一部に位置付けられる。突起４０７は、それぞれが封止部材４７４の段または起伏のある領域などの、封止部材４７４の対応する特徴または構成と位置合わせするために、特定の大きさ、形状、および場所が設けられる。１つまたは複数の突起４０７は、筐体の対向する側面から対称構成に（対称的な突起／凹部を備えた対応するフィルタカートリッジが、チャネル４８１内の封止のために２つの配向のどちらにも挿入することができるように）、または非対称構成に（非対称の突起／凹部を備えた対応するフィルタカートリッジが、チャネル４８１内の封止のために１配向のみに挿入することができるように）延在することが企図される。
【００６０】
引き続き図１１を参照すると、アクセスカバー４０３は筐体４０１の外側に固定され、フィルタカートリッジ４３０および前置清浄機４１０は筐体４０１の内部開口内に位置付けられる。アクセスカバー４０３は、アクセスカバー４０３が筐体４０１に固定されるとき、前置清浄機４１０がフィルタカートリッジ４３０に向かって押されるように構成される。このようにして筐体４０１内の要素がそれらの最終場所にまだ着座していない場合、前置清浄機構造の圧力は、要素を出口４０５に向かって「押し」、要素の着座位置に入れる。例えばこの動きにより、可撓性封止部材４７４のチャネル４７５が確実に筐体４０１の内唇部４０６と適切に着座することができる。加えて構成要素がそれらの所望の場所に位置付けられると、ベース部材４１２の底縁部４８１は可撓性封止部材４７４を圧迫する。前置清浄機４１０をこのように位置付けた状態で、前置清浄機４１０は、封止部４５２を介して前置清浄機の１端部および封止部材４７４の領域内のベース部材の低縁部４８１で汚染物質と無関係に封止可能な構成要素として効率的に「隔離」される。
【００６１】
次に図１５および１６を参照すると、フィルタカートリッジ７３０の例示的一実施形態が示されており、フィルタカートリッジ７３０は上に論じたフィルタカートリッジ４３０に類似しており、図１７はフィルタカートリッジ７３０の枠部材７７０の拡大図をさらに示す。このようにフィルタカートリッジ４３０に対して上に記載された同様の適用および構造がフィルタカートリッジ７３０にも適用されてもよい。
【００６２】
図１６の分解図に示されたように、フィルタカートリッジ７３０は概して媒体パック７３１、殻７８０、枠部材７７０、および可撓性封止部材７７４を含む。組み立てるとき、媒体パック７３１の下部は殻７８０の内部開口内に位置付けられ、媒体パックの上部は殻７８０の上表面の上に延在する。次いで媒体パック７３１のこの上部は枠部材７７０の内部開口内に位置付けられ、次いで可撓性封止部材７７４は枠部材７７０と媒体パック７３１の外表面との間の空間を充填し、以下に記載されるように枠部材７７０を殻７８０および媒体パック７３１に連結させるように形成される。この図はフィルタカートリッジ７３０が枠部材７７０および殻７８０の両方を含む構成を示すが、これらの２つの構成要素７７０、７８０の１つのみが本発明のフィルタカートリッジの特定の実施形態に提供され、以下の記載はこれらの構成のすべてを企図することが企図されることに留意されたい。
【００６３】
再度図１５および１６を参照すると、描かれたフィルタカートリッジ７３０は任意選択の殻７８０を含む。このような殻７８０は媒体パック７３１を包囲し、処理中および使用中に媒体を保護する。殻７８０は例えば予め形成された成形プラスチック片を含むことができ、媒体パック７３１はカートリッジ７３０の組立中に成形プラスチック片の中に位置付けられる。示されたように、殻７８０の外表面は枠部材７７０の外形の形状に概ね一致する形状を有することができ、または殻７８０の外表面はその代わりに異なる形状を有することができる。
【００６４】
枠部材７７０は、筐体の筐体壁の内周形状に概ね一致する外形を有する枠壁７７１を含み、枠部材７７０は筐体の中に位置付けられる。この具体的な実施形態では、枠壁７７１の外形は概ね細長い八角形状である。枠部材７７０は、上唇部７７３によって画定されたその上縁部に内部開口７７２をさらに含み、上唇部７７３は、媒体パックが枠部材７７０内に位置付けられたとき、枠壁と媒体パックの外表面との間の少なくとも１つの隙間を充填するために少なくとも１つの場所に枠壁７７１から内方に延在する。この実施形態では、枠壁７７１からの上唇部７７３の延長部７７９は、その上縁部に沿ったフィルタ封止部材の内部開口７７２に対して内部の長方形またはレーストラックの楕円形状に近づくために隙間を充填する。
【００６５】
枠部材７７０の枠壁７７１はその周囲を中心に中実であることが可能であり、またはその代わりにその周囲を中心に１つもしくは複数の場所で切欠きもしくはスロット７４１を含むことができる。切欠きまたはスロット７４１の大きさ、形状、および量は、１ｍｍ〜２０ｍｍの範囲のように大幅に異なることが可能である。スロットまたは切欠き７４１の大きさおよび形状は、可撓性封止部材７７４の封止部材の量を制御するために、媒体パックに対してそれらの位置に依存して選択または設計することができ、可撓性封止部材７７４はフィルタカートリッジ７３０の製造中および組立中に流れることができる。例示的一実施形態では、少なくとも１つの切欠きが枠壁７７１の直線縁部に沿って配置され、少なくとも１つの切欠き７４１は、枠壁７７１の傾斜した縁部のそれぞれに沿って配置される。
【００６６】
特定の枠壁に対するスロットまたは切欠き７４１の大きさ、形状、および配列は、すべてが互いに同じ構成であるスロット７４１を含むことができ、すべてが異なる構成を有するスロットを含むことができ、または同じ構成を有する一部のスロット、および異なる構成を有する他のスロットを含むことができることが理解される。例えば枠部材の湾曲部に提供されたスロット７４１は、枠部材７７０の直線縁部上に提供された枠部材より大きい、または多いことが可能である。枠部材７７０の周囲を中心に隣接したスロット７４１の間の間隔が、これらのスロットによって促進される材料の所望の流れに依存して、同じである、または異なることが可能であることがさらに企図される。
【００６７】
依然として図１５〜１７を参照すると、示されたフィルタカートリッジ７３０は、枠壁７７１の対向する側面から延在する端部を有する任意選択のハンドル７７５を含む。任意選択のハンドル７７５に対して種々の形状、大きさおよび特徴が使用できる。加えて１つまたは複数の任意選択の追加の支持部材７４３はハンドル７７５から離間され、ハンドル７７５と同じ一般方向に枠壁７７１内の開口を横切って延在することができる。
【００６８】
フィルタカートリッジ７３０は、枠部材７７０に隣接した殻７８０の周囲を中心に概ね延在する可撓性周囲封止部材７７４をさらに含む。フィルタカートリッジ７３０は、枠部材７７０に隣接した殻７８０の周囲を中心に概ね延在する可撓性周囲封止部材７７４をさらに含む。フィルタカートリッジ７３０が上記のように筐体内に位置付けられるとき、封止部材７７４は、ピンチシールとして機能するように構成され、位置付けられる。このようなピンチシールは、使用中に封止圧力下で２つの筐体構成要素の間にピンチシールを挟むことができるように、所定の位置でカートリッジ７３０の周囲を中心に延在する。示された封止部材７７４は、軸方向に（すなわちその入口端部からその出口端部に媒体を通って延在する軸の延長方向に）適用される２つの筐体構成要素の間に封止押圧するように構成されるので、業界では「軸方向」ピンチシールと呼ばれることがある。しかし他の型の封止配置が、本発明の選択された原理とともに使用できる。
【００６９】
より具体的には、封止部材７７４は、チャネルが封止部材７７４の一部と殻７８０との間に提供されるように構成され、チャネルは筐体の一部と嵌合するように位置付けられ、チャネルは筐体の中に挿入される。可撓性封止部材７７４は定位置に成形することができ、媒体パック７３１は殻７８０の内側に位置付けられ、枠部材７７０はその所望の構成内に位置付けられる。結果として、封止部材７７４は、枠部材７７０の枠壁７７１の中に埋め込まれることになる。
【００７０】
例えば図４および５に示された空気清浄機アセンブリ４００を再度参照すると、筐体４０１内の構成要素の所望の封止および設置については、内唇部４０６は、ある特定の構成要素が、構成要素の間に望ましくない空間なしに、しっかりと位置付けられ、互いに係合するように、筐体４０１の入口端部４０２から少し離れて位置付けられることに留意されたい。すなわち例えば図６に対して示され、記載された空気清浄機アセンブリ４００については、アクセスカバー４０３は前置清浄機４１０の一部であり、したがって内唇部４０６は、前置清浄機４１０の構造および作動を収納するために十分に離れて窪んでいる。概して内唇部４０６は、様々な筐体および入口特徴ならびにそれらの作動を収納するために必要な量よりはるかに窪むことはない。このことは空気清浄機アセンブリの作動に関して必要ではないが、必要以上に大きくなく、重くない空気清浄機筐体４０１を有することに関して有利である。
【００７１】
図６を再度参照すると、例示的空気清浄機アセンブリ４００は任意選択の二次または安全フィルタ４３５を含み、安全フィルタ４３５は図１８にも示されている。安全フィルタ４３５は、概して主要フィルタカートリッジ４３０と筐体４０１の出口４０５との間に位置付けることができる。典型的な構成では、安全フィルタ４３５は空気清浄機アセンブリ４００内に取り外し可能に位置付けられ、また典型的には所望通りに、かつ／または必要に応じて取り外し可能であり交換可能である修理構成要素であるともみなされるはずである。しかし安全フィルタは典型的には使用時にあまり多くの粉塵負荷を受けないので、典型的にはあまり頻繁に交換されず、その代わりに主要フィルタカートリッジ４３０が筐体４０１から取り外されるときなどに、内部構成要素を粉塵からさらに保護するためにより有益である。
【００７２】
安全フィルタ４３５の例示的実施形態は、概して出口４０５に隣接した筐体４０１の内部領域の大きさおよび形状に、好ましくは隙間なしに一致する外側枠４３６を含む。このようにして安全フィルタ４３５は、まず安全フィルタ４３５を通ることなく出口４０５に達することができる空気がないように、摩擦篏合で筐体４０１の壁に筐体を押し付けることができる。安全フィルタ４３５は上面４３９をさらに含み、少なくとも１つのハンドル４３７は上面４３９から延在する。各ハンドル４３７は、各ハンドルが好ましくは孔または１本もしくは複数の指により係合を促進する他の特徴を含み、指は筐体４０１から安全フィルタ４３５を引くことができるという点で、使用者に安全フィルタ４３５を取り外す容易な方法を提供する。また各ハンドル４３７は、フィルタカートリッジ４３０が筐体４０１の中に挿入されるとき、フィルタカートリッジ４３０を配置し、位置付ける助けにもなる。
【００７３】
安全フィルタ４３５は、上面４３９の少なくとも一部を横切る複数のルーバ４３８をさらに含むことができ、このようなルーバ４３８はルーバ４３８の間にスロットを有し、空気はルーバ４３８を通ってフィルタ４３５に入り、フィルタ媒体（不図示）に接触することができる。この安全フィルタのためのフィルタ媒体は襞のある媒体であってもよく、襞は枠４３６の長さ寸法に延在する。枠４３６は、隣接した襞の整合性の間隔を維持する助けとなるために襞スペーサを含んでもよい。
【００７４】
上に論じたように、アクセスカバー４０３は少なくとも１つのラッチ４１９を介して筐体４０１に固定され、ラッチ４１９は、筐体４０１の外表面から延在する固定部材４０８に取り付けられる際を多くの図に示されている。筐体４０１へのラッチ４１９のこのような取り付けは、図１９〜２０に拡大図で示されており、単一のラッチ４１９は、図２１〜２３においてアクセスカバー４０３とは別個の構成要素として示されている。
【００７５】
ラッチ４１９は、ラッチ本体４９０およびラッチ本体４９０内に係合された複数（例えば２個）のｕ字形ワイヤ部材４９２を含む。ラッチ本体４９０は、下唇部４９５を有するチャネル４９４などの、アクセスカバー４０３および筐体４０１の表面および特徴と係合するために多数の起伏を含む。チャネル４９４は、これらの構成要素を互いに固定するために筐体４０１の固定部材４０８とともにアクセスカバー４０３の縁部を受容するように構成される。具体的には唇部４９５は固定部材４０８の下に位置付けることができ、チャネル４９４の上領域はアクセスカバー４０３の上表面に隣接する。ラッチ本体４９０は下凹部領域をさらに含み、その中で一連のリブ４９６は互いに離間される。これらのリブ４９６はラッチ本体４９０の中に成形することができ、または個別に作成してラッチ本体４９０に固定することができる。各リブ４９６は、ｕ字形ワイヤ部材４９２の一方の直線部と係合できる孔を含む。示されたように、各ワイヤ部材４９２の直線部の一方はリブ４９６の孔内に回転可能に位置付けられる一方で、各ワイヤ部材４９２の他方の直線部は、枢動／回転運動のためにアクセスカバー４０３と取り付けられる。
【００７６】
アクセスカバー４０３を筐体４０１に固定するために、ラッチ４１９は、アクセスカバー４０３が筐体４０１の入口端部４０２に向かって押圧されると、アクセスカバー４０３から回転して離れる。カバー４０３が適切に配置された後、各ラッチ４１９のチャネル４９４の唇部４９５は動いて固定部材４０８の一方と係合し、ｕ字形ワイヤ部材４９２を中心に回転し、固定部材４０８およびアクセスカバー４０３の縁部はチャネル４９４内に配置される。次いで上表面４９７は、ラッチ４１９がアクセスカバー４０３と「スナップ嵌合」して係合するまで、アクセスカバーの上表面に向かって押される。
【００７７】
本発明のフィルタカートリッジは、筐体内で１つまたは複数の回転配向に位置付けできるように構成することができる。描かれた型のカートリッジでは、カートリッジが長い断面アクセスおよび短い断面アクセスを有し、カートリッジは１つのみの適切な回転配向に位置付けるように構成することができ、または２つの回転配向に適切に位置付けることができるように構成できる。所望されるように１つまたは２つの回転配向を収納するために、カートリッジと筐体との間にインデックス配置を使用することができる。
【００７８】
次に図２４および２５を参照すると、本発明の空気清浄機アセンブリ６００の別の例示的実施形態の分解斜視図が示されており、これは本明細書に記載された他の空気清浄機アセンブリと異なる形状であるが、他の実施形態と同じまたは類似した多数の特徴を含む。空気清浄機アセンブリ６００は、概して筐体６０１、前置清浄機６１０、フィルタカートリッジ６３０、および任意選択の安全フィルタ６３５を含む。示されたように、これらの構成要素の少なくとも一部の一般的な外形は八角形であり、その中の各８側面はほぼ同じ長さであり、それによりそうでないと利用できない構成要素を互いに組み立てるためにある特定の選択肢を提供する。例えばフィルタカートリッジ６３０は、以下にさらに論じるように筐体６０１の中に適合することができる複数の配向を有してもよい。
【００７９】
例示的筐体６０１は出口６０５と反対側の端部に入口６０２を含み、システムの要素は空気清浄機アセンブリ６００を組み立てるために入口６０１の中に挿入できる。筐体６０１は、周囲を中心に延在し、入口６０２から離間された内唇部（図では見えない）をさらに含むことができる。加えて筐体６０１は、その外壁の外側に入口６０２に隣接して少なくとも１つの固定部材６０８を含み、これは前置清浄機６１０のラッチ機構６１９と係合される。筐体６０１の内唇部はチャネルまたはポケットの１側面を提供するために位置付けられ、チャネルはまた筐体６０１の内壁および内唇部と筐体６０１の内壁との間に延在する底チャネル表面によって画定される。チャネルは、以下に記載されるようにフィルタカートリッジの特徴で封止を提供するために、概して筐体６０１の周囲を中心に延在する。
【００８０】
前置清浄機６１０はベース部材と係合できるアクセスカバーを含むことができ（同時にラッチを介して筐体６０１に取り付けることができる）、または前置清浄機６１０は、概して単一片の構成要素であることが可能であり、単一片の構成要素もラッチを含む。すなわち空気清浄機アセンブリ６００のある特定の実施形態では、前置清浄機は、その後ラッチ６１９を介して筐体６０１に取り付けることができる単一設備として２つの部品を互いに固定するために、スナップ嵌合配置などの取り付け構成を介してベース部材と係合されるアクセスカバーを含むことができる。このような実施形態では、アクセスカバーは、例えば洗浄を促進するためにベース部材から分離することができるはずである。しかし前置清浄機６１０の別の実施形態では、アクセスカバーは、単一設備としてアセンブリ６００に提供される単一片として作成することができる。いずれの場合でも、前置清浄機６１０は、概して材料が内部に位置付けられたフィルタカートリッジ６３０に達することができる前に、気流入口を通って空気清浄機に入る粉塵の一部または他の粒子状材料（例えば液体粒子状材料）を除去するために使用される。
【００８１】
前置清浄機６１０は、カバーの内表面から筐体６０１の内部領域に向かって延在する複数の入口管または汚染分離管６６０をさらに含む。管６６０は予め形成し、組立中にカバー内の孔の中に圧入することができ、または別の方法で（例えば接着剤で）取り付けることができる。概して各分離管６６０は上流入口端部を含み、空気清浄機アセンブリ６００に入る（濾過される）空気は上流入口端部を通過する。各管６６０は入口端部の中、または入口端部に隣接した羽根配置を含むことができ、入口空気のためにサイクロン流を（直接）取り込むように構成される。本明細書に記載された他の実施形態と同様に、管６６０も管端部の間に側部スロットを含むことができ、側部スロットを通る汚染物質（粉塵、微粒子汚染排出物または水）は汚染分離部の配置によって分離され、筐体汚染排出ポートを通って最終的な排出のために出ることができる。
【００８２】
管６６０の多数の配置が企図されるが、例示的一実施形態は、２つの交差する、または重なる「リング」６６２、６６４内に配置された管６６０を含み、それぞれのリングはリングの上部および底部に２つの管、およびリングの両側に１つの管を含む。第１のリング６６２の２つの底部管は、第２のリング６６４の２つの上部管を作成する管と同じ２つの管である。この例示的実施形態に示されたように、管６６０は好ましくは、管から出る空気に対する所望のパターンが達成されるように配置される。また管６６０の一部またはすべては、所望の手法で気流を方向付けるために使用される羽根の配置も含むことができる。羽根の配置は、所望の気流に依存して大幅に変えることができ、単一の前置清浄機６１０の管６６０は異なる羽根配置を有することができることが企図される。
【００８３】
より具体的には図２５を参照すると、フィルタカートリッジ６３０は主要または一次フィルタカートリッジであるとみなすことができ、前置清浄機６１０によりシステムから濾過して除去されなかった所望の量の微粒子または包含材料を選択的に分離するために使用される。カートリッジ６３０は、空気清浄機６００の耐用期間の間に所望通りに、または必要に応じて定期的に除去でき交換できるように、概ね修理部品または取り外し可能な構成要素である。フィルタカートリッジ６３０は、例えば上に記載された縦溝付きフィルタ媒体などのあらゆる種々の型であってもよい、フィルタまたは濾過媒体６３１を含む。例示的カートリッジ６３０は、フィルタカートリッジ６３０が第１の（入口）流面または端部６３２および反対側の出口（流）面または端部６３３を含むという点で「直線の貫通流」であると考えられ、フィルタカートリッジ６３０を通る空気の流れの濾過は、概して入口端部６３２から出口端部６３３までである。
【００８４】
フィルタ６３０はフィルタ封止部材（図では見えない）をさらに含み、フィルタ封止部材は、媒体パックがフィルタ封止部材に位置付けられるとき、枠壁と媒体パックの外表面との間の少なくとも１つの隙間空間を充填するために、少なくとも１つの場所に枠壁から内方に延在する上唇部によって画定されたその上縁部に内部開口を有する。すなわち枠壁の形状（例えば八角形）はフィルタカートリッジ６３０（例えば円形）の外形と異なるので、形状が互いに異なる領域内（例えば枠壁の傾斜した隅部が、フィルタカートリッジ６３０の湾曲した外表面から離間されている領域内）のこれらの要素間に隙間が存在する。この実施形態では、枠壁からの上唇部の延長部は、その上縁部に沿ってフィルタ封止部材の内部開口に対して内部の八角形状に近づくために隙間を充填する。
【００８５】
フィルタカートリッジ６３０は、概してカートリッジ６３０の上部の周囲を中心に延在する可撓性周囲封止部材６７４をさらに含む。封止部材６７４は軸方向部６７７をさらに含み、軸方向部６７７は、空気清浄機アセンブリ６００が作動時に、筐体６０１の内表面に漏れ耐性封止を提供する大きさおよび形状である。これを促進するために、封止部材６７４は、このような封止目的のために使用される典型的な型の弾性材料であることが可能である。可撓性封止部材６７４は定位置に成形することができ、封止部材６７４が上に論じたフィルタ封止部材の枠壁の中に埋め込まれるように、媒体６３１はカートリッジ６３０の殻の内側に位置付けられる。カートリッジ７３０が筐体内に位置付けられるとき、その封止部材６７４は、カートリッジの他の構成に対して上に論じたように、ピンチシール型の配置を提供することができる。
【００８６】
封止部材６７４の軸方向部６７７は、筐体６０１の他の部分との選択的な係合を提供するために、その周囲の部分を中心に起伏を付けることができる。フィルタカートリッジ６３０の一実施形態では、封止部材６７４からなるすべての側面は同じ長さであるので、フィルタカートリッジ６３０は筐体６０１内の異なる８個の配向のいずれにも「クロックする」または回転することが可能である。しかし１つまたは複数の側面上の軸方向部６７７は、他の側面の形状と異なる形状を作る起伏または延長部を含むことが可能である。このような実施形態では、筐体６０１の内部領域は、カートリッジ６３０のある特定の配向のみが筐体６０１内に封止部材の適切な封止を提供するように設計されてもよい。
【００８７】
本発明によれば、別の例示的空気清浄機アセンブリは汚染排出ポートを必要とする前置清浄機を含まず、したがって空気清浄機本体が端部入口よりむしろ側部気流入口を含むことができることが企図される。このような実施形態の出口配置は、本体の残余部から分離した構成要素として作成し、それに固定されることが可能であり、または本体の残余部と一体成形することができる。このような配置では、アクセスカバーは、前置清浄機ベース部材または本体に固定されず、その代わりに筐体に直接装着することができる。このアクセスカバーは、筐体内のフィルタカートリッジを固定するために使用することができる。
【００８８】
ここで本発明はそのいくつかの実施形態を参照に記載された。本明細書に同定されたあらゆる特許および特許出願の開示全体が参照により本明細書に組み込まれる。前述の詳述および例示は明瞭に理解するためのみに提供されている。ここから理解するために不必要な制約はない。多くの変更が、本発明の範囲から逸脱することなく記載された実施形態に行うことができることが当業者には明らかになろう。したがって本発明の範囲は、本明細書に記載された構造ではなく、特許請求の範囲およびそれらの構造の等価物の言語によって記載された構造のみによって限定されるべきである。
【図１】
2019519367.tif 000003
【図２】
2019519367.tif 000004
【図３】
2019519367.tif 000005
【図４】
2019519367.tif 000006
【図５】
2019519367.tif 000007
【図６】
2019519367.tif 000008
【図７】
2019519367.tif 000009
【図８】
2019519367.tif 000010
【図９】
2019519367.tif 000011
【図１０】
2019519367.tif 000012
【図１１】
2019519367.tif 000013
【図１２】
2019519367.tif 000014
【図１３】
2019519367.tif 000015
【図１４】
2019519367.tif 000016
【図１５】
2019519367.tif 000017
【図１６】
2019519367.tif 000018
【図１７】
2019519367.tif 000019
【図１８】
2019519367.tif 000020
【図１９】
2019519367.tif 000021
【図２０】
2019519367.tif 000022
【図２１】
2019519367.tif 000023
【図２２】
2019519367.tif 000024
【図２３】
2019519367.tif 000025
【図２４】
2019519367.tif 000026
【図２５】
2019519367.tif 000027
【国際調査報告】
2019519367.tif 000028
2019519367.tif 000029
2019519367.tif 000030
2019519367.tif 000031
2019519367.tif 000032